(57)【要約】【課題】物品を所持して認証場所に訪れた訪問者が正規登録者であるか否かをより正確に判断することができ、且つ物品に付された情報媒体の読み取りをも行い得る構成を提供する。【解決手段】認証システム１は、物品に付して使用可能な第１情報媒体と、人によって携帯される第２情報媒体とを用いている。そして、認証場所の所定の第１読取範囲に上記物品が存在する場合に、その物品の第１情報媒体に記録された第１識別情報を読み取る第１読取部と、認証場所の所定の第２読取範囲に第２情報媒体を所持する人が存在する場合に、その第２情報媒体に記録された第２識別情報を読み取る第２読取部とを備えている。更に、登録部に登録された情報と、第２読取部による読取結果とに基づき、第２情報媒体が読み取られたか否かを判断する判断部と、第２情報媒体が読み取られたと判断されたことを条件として所定の報知動作を行う報知部とを有している。【選択図】図１
2015075936.tif 000002
【特許請求の範囲】
【請求項１】
第１識別情報が記録され、物品に付して使用可能な第１情報媒体と、
第２識別情報が記録され、人によって携帯される第２情報媒体と、
前記第１情報媒体及び前記第２情報媒体の読み取りを行う認証場所の所定の第１読取範囲に前記物品が存在する場合に、前記第１情報媒体に記録された前記第１識別情報を読み取る第１読取部と、
前記認証場所の所定の第２読取範囲に前記第２情報媒体を所持する人が存在する場合に、前記第２情報媒体に記録された前記第２識別情報を読み取る第２読取部と、
前記第２情報媒体に記録される識別情報を特定する第２特定情報が登録された登録部と、
前記登録部に登録された前記第２特定情報と、前記第２読取部による読取結果とに基づき、前記認証場所にて前記第２情報媒体が読み取られたか否かを判断する判断部と、
前記判断部によって少なくとも前記第２情報媒体が読み取られたと判断されたことを条件として、所定の報知動作を行う報知部と、
を有することを特徴とする認証システム。
【請求項２】
前記登録部には、前記第１情報媒体に記録される識別情報を特定する第１特定情報と前記第２特定情報とが登録されており、
前記判断部は、前記登録部に登録された前記第１特定情報及び前記第２特定情報と、前記第１読取部及び前記第２読取部による読取結果とに基づき、前記第１情報媒体及び前記第２情報媒体がいずれも読み取られたか否かを判断し、
前記報知部は、前記判断部によって前記第１情報媒体及び前記第２情報媒体がいずれも読み取られたと判断されたことを条件として前記所定の報知動作を行うことを特徴とする請求項１に記載の認証システム。
【請求項３】
前記第１情報媒体は、前記第１識別情報が記録される情報コードであり、
前記第２情報媒体は、前記第２識別情報が記録される無線通信媒体であり、
前記第１読取部は、前記情報コード及び前記無線通信媒体が持ち込まれる前記認証場所に設定された所定の撮像範囲内を前記第１読取範囲として撮像する撮像部と、前記撮像範囲に前記情報コードが配置された場合に、前記撮像部によって得られた前記情報コードの撮像画像から少なくとも前記第１識別情報を読み取る解読部と、を備え、
前記第２読取部は、前記認証場所の所定の通信範囲に前記無線通信媒体が配置された場合に、当該通信範囲を前記第２読取範囲として前記無線通信媒体に記録された前記第２識別情報を読み取る無線読取部を有することを特徴とする請求項１又は請求項２に記載の認証システム。
【請求項４】
前記第１情報媒体は、少なくとも前記第１識別情報が暗号化キーに基づいて暗号化された暗号データが記録された非公開領域を有する情報コードであり、
前記第２情報媒体は、前記第２識別情報が記録される無線通信媒体であり、
前記第１読取部は、前記情報コード及び前記無線通信媒体が持ち込まれる前記認証場所に設定された所定の撮像範囲内を前記第１読取範囲として撮像する撮像部と、外部から前記暗号データを解読するための解読キーを取得して記憶する解読キー記憶部と、前記撮像範囲に前記情報コードが配置された場合に、前記撮像部によって得られた前記情報コードの撮像画像を解析し、前記解読キー記憶部に記憶された前記解読キーに基づいて前記非公開領域に記録された前記暗号データを解読することで前記第１識別情報を読み取る解読部と、を備え、
前記第２読取部は、前記認証場所の所定の通信範囲に前記無線通信媒体が配置された場合に、当該通信範囲を前記第２読取範囲として前記無線通信媒体に記録された前記第２識別情報を読み取る無線読取部を有し、
前記登録部には、前記情報コードに記録される前記第１識別情報を特定する情報として第１特定情報が登録され、前記無線通信媒体に記録される前記第２識別情報を特定する情報として前記第２特定情報が登録されており、
前記判断部は、前記登録部に登録された前記第１特定情報と、前記解読部による読取結果とに基づき、前記情報コードの前記非公開領域が解読されたか否かを判断し、前記登録部に登録された前記第２特定情報と、前記無線読取部による読取結果とに基づき、前記無線通信媒体が読み取られたか否かを判断し、
前記報知部は、前記判断部によって前記情報コードの前記非公開領域が解読されたと判断され、且つ前記無線通信媒体が読み取られたと判断された場合に、前記所定の報知動作を行うことを特徴とする請求項２に記載の認証システム。
【請求項５】
前記第１情報媒体は、配達対象物品に付されるものであり、且つ当該第１情報媒体が付される前記配達対象物品を識別する物品識別情報が前記第１識別情報として記録されており、
前記第２情報媒体は、配達者に割り当てられた配達者識別情報が前記第２識別情報として記録されており、
前記登録部には、各場所への配達を行う各正規配達者を特定する正規配達者特定情報が前記第２特定情報として登録されており、
前記判断部は、前記登録部に登録された前記第２特定情報と、前記第２読取部よる読取結果とに基づき、前記第２読取部によって読み取りを行った前記認証場所への配達を行う正規配達者に対応する前記第２情報媒体が読み取られたか否かを判断し、
前記報知部は、前記第２読取部によって読み取りを行う前記認証場所への配達を行う正規配達者に対応する前記第２情報媒体が読み取られたと前記判断部によって判断されたことを条件として前記所定の報知動作を行うことを特徴とする請求項１又は請求項３に記載の認証システム。
【請求項６】
前記第１情報媒体は、配達対象物品に付されるものであり、且つ当該第１情報媒体が付される前記配達対象物品を識別する物品識別情報が前記第１識別情報として記録されており、
前記第２情報媒体は、配達者に割り当てられた配達者識別情報が前記第２識別情報として記録されており、
前記登録部には、各場所へ配達されるべき各正規物品を特定する正規物品特定情報が前記第１特定情報として登録され、各場所への配達を行う各正規配達者を特定する正規配達者特定情報が前記第２特定情報として登録されており、
前記判断部は、前記登録部に登録された前記第１特定情報及び前記第２特定情報と、前記第１読取部及び前記第２読取部による読取結果とに基づき、前記第１読取部及び前記第２読取部によって読み取りを行った前記認証場所へ配達されるべき正規物品に対応する前記第１情報媒体、及び当該認証場所への配達を行う正規配達者に対応する前記第２情報媒体が読み取られたか否かを判断し、
前記報知部は、当該認証場所へ配達されるべき正規物品に対応する前記第１情報媒体、及び当該認証場所への配達を行う正規配達者に対応する前記第２情報媒体が読み取られたと前記判断部によって判断されたことを条件として前記所定の報知動作を行うことを特徴とする請求項２から請求項４のいずれか一項に記載の認証システム。
【請求項７】
１又は複数の機器からなり、所定の出入口を介して前記認証場所に通じる所在エリアに機器の一部又は全部が設けられた認証場所側装置と、
前記所在エリアから離れた位置において前記認証場所側装置と通信可能に配置された１又は複数の機器からなる管理装置と、
を備え、
前記管理装置は、前記登録部と、前記登録部に登録された情報に基づき、前記認証場所に対応する正規の前記第２情報媒体を特定する情報を、前記配達対象物品が当該認証場所に配達される前に、当該認証場所に通じる前記所在エリアに設けられた前記認証場所側装置に予め送信する特定情報送信部と、を有し、
前記認証場所側装置は、前記配達対象物品が前記認証場所に配達される前に、前記特定情報送信部からの情報を受信して予め記憶しておく受信情報記憶部と、前記判断部と、前記報知部とを備え、
前記判断部は、前記受信情報記憶部に予め記憶された情報と、前記第２読取部による読取結果とに基づき、前記第２読取部で読み取りを行った前記認証場所に対応する前記第２情報媒体が読み取られたか否かを判断することを特徴とする請求項５に記載の認証システム。
【請求項８】
１又は複数の機器からなり、所定の出入口を介して前記認証場所に通じる所在エリアに機器の一部又は全部が設けられた認証場所側装置と、
前記所在エリアから離れた位置において前記認証場所側装置と通信可能に配置された１又は複数の機器からなる管理装置と、
を備え、
前記管理装置は、前記登録部と、前記登録部に登録された情報に基づき、前記認証場所に対応する正規の前記第１情報媒体を特定する情報、及び前記認証場所に対応する正規の前記第２情報媒体を特定する情報を、前記配達対象物品が当該認証場所に配達される前に、当該認証場所に通じる前記所在エリアに設けられた前記認証場所側装置に予め送信する特定情報送信部と、を有し、
前記認証場所側装置は、前記配達対象物品が前記認証場所に配達される前に、前記特定情報送信部からの情報を受信して予め記憶しておく受信情報記憶部と、前記判断部と、前記報知部とを備え、
前記判断部は、前記受信情報記憶部に予め記憶された情報と、前記第１読取部及び前記第２読取部による読取結果とに基づき、前記第１読取部及び前記第２読取部で読み取りを行う前記認証場所に対応する前記第１情報媒体及び前記第２情報媒体が読み取られたか否かを判断することを特徴とする請求項６に記載の認証システム。
【請求項９】
１又は複数の機器からなり、所定の出入口を介して前記認証場所に通じる所在エリアに機器の一部又は全部が設けられた認証場所側装置と、
前記所在エリアから離れた位置において前記認証場所側装置と通信可能に配置された１又は複数の機器からなる管理装置と、
を備え、
前記管理装置は、
前記登録部と、
前記配達対象物品の配達に用いる車の位置、又は前記配達対象物品を配達する配達者が携帯する情報読取端末の位置を検出する位置検出部と、
前記位置検出部によって得られた検出位置のデータを前記認証場所側装置に送信する検出位置データ送信部と、
を有し、
前記認証場所側装置は、前記判断部と、前記報知部とを備え、
前記報知部は、前記検出位置データ送信部によって送信された前記検出位置のデータに基づき、当該報知部が配置される前記所在エリアへの前記配達対象物品の配達に用いる車の位置、又は前記配達対象物品を配達する配達者が携帯する情報読取端末の位置を表示する検出位置表示部を有することを特徴とする請求項５から請求項８のいずれか一項に記載の認証システム。
【請求項１０】
前記報知部は、所定の出入口を介して前記認証場所に通じる所在エリアに機器の一部又は全部が設けられており、
前記第１読取部及び前記第２読取部は、少なくとも前記所在エリアの外側を前記第１読取範囲及び前記第２読取範囲とする構成で、前記出入口を開閉する扉に装着されるものであることを特徴とする請求項１から請求項９のいずれか一項に記載の認証システム。
【発明の詳細な説明】
【技術分野】
【０００１】
本発明は、認証システムに関するものである。
【背景技術】
【０００２】
宅配便等の配送者から配送物を受け取る際に、訪問者が正規の配送者を装ったなりすましか否か判断する技術として、配送物が正規の配送物であるか否か照合する認証システムがある。扉を開く前に、配送物の受け取り側で訪問者が所持する物品が正規の配送物であるか否か判断することで、正規の配送者を装ったなりすましか否か判断する材料となる。
【０００３】
例えば、特許文献１に開示される配送業者認証システム１は、荷物に貼られたバーコード４１の画像を読み取るバーコードリーダー３２と、バーコードリーダー３２が読み取ったバーコード４１の画像から荷物ＩＤを抽出し配送業者サーバに送信するバーコード読み取り部１５と、を有する構成となっている。また、配送業者認証システム１は、荷物ＩＤに対応する荷札情報を記憶する荷札情報データベース６０と、荷物ＩＤに対応する荷札情報を荷札情報データベース６０から検索する荷札情報検索部５６と、を有し、荷札情報検索部５６による検索結果に基づいて正当な配達員であるか否か識別する構成となっている。
【先行技術文献】
【特許文献】
【０００４】
【特許文献１】特開２００９−２７６９４０号公報
【発明の概要】
【発明が解決しようとする課題】
【０００５】
しかしながら、特許文献１の認証システムは、荷物に付されたバーコードの読み取りのみで認証を行う仕組みであるため、正規の訪問者を装う「なりすまし」を十分に防ぎ難いという問題がある。例えば、正規の荷札ＩＤ（荷札情報データベース６０に記憶されている荷札情報に対応する荷札ＩＤ）が記録されたバーコード４１が付された荷物を第三者が何らかの方法で入手し、その荷物を所持しながらその荷物の届け先に訪問してしまうと、このような不正を行った第三者が正規訪問者として認証されてしまうことになる。このような「なりすまし」を排除し難い仕組みでは、セキュリティ面が十分とは言えない。
【０００６】
一方、このような「なりすまし」を抑える別の方法としては、例えば屋外の様子を撮影可能なカメラを設け、訪問者の顔や扉の外の状況などを屋内で表示する構成なども考えられる。しかしながら、単に屋外の様子を撮影して屋内で表示するだけでは、表示された訪問者が正規の訪問者であるか否かを在宅者が正確に判断することは難しい。例えば、第三者が配送業者の服装に類似する格好で訪問するようなケースでは、在宅者は、表示された訪問者を見ても不正訪問者であることを見破ることができない虞がある。
【０００７】
このように、従来の配送の仕組みでは、訪問があった時に在宅者が正規の訪問者であるか否かを正確に判断できないケースが多い。このため、現在では、不正訪問の防衛策として、正規の配送業者がインターフォンを押した場合であっても、その時点では扉を開けずに荷物を受け取らないような対応（例えば居留守の対応など）が多くなってきている。このような対応が増えると、正規の配送業者の配送業務において、荷物が受け取られるまで何度も訪問しなければならないケースが増え、作業効率の低下や作業負担の増大を招いてしまう。
【０００８】
本発明は、上述した課題を解決するためになされたものであり、物品を所持して認証場所に訪れた訪問者が正規登録者であるか否かをより正確に判断することができ、且つ物品に付された情報媒体の読み取りをも行い得る構成を提供することを目的とする。
【課題を解決するための手段】
【０００９】
本発明は、第１識別情報が記録され、物品に付して使用可能な第１情報媒体と、
第２識別情報が記録され、人によって携帯される第２情報媒体と、
前記第１情報媒体及び前記第２情報媒体の読み取りを行う認証場所の所定の第１読取範囲に前記物品が存在する場合に、前記第１情報媒体に記録された前記第１識別情報を読み取る第１読取部と、
前記認証場所の所定の第２読取範囲に前記第２情報媒体を所持する人が存在する場合に、前記第２情報媒体に記録された前記第２識別情報を読み取る第２読取部と、
前記第２情報媒体に記録される識別情報を特定する第２特定情報が登録された登録部と、
前記登録部に登録された前記第２特定情報と、前記第２読取部による読取結果とに基づき、前記認証場所にて前記第２情報媒体が読み取られたか否かを判断する判断部と、
前記判断部によって少なくとも前記第２情報媒体が読み取られたと判断されたことを条件として、所定の報知動作を行う報知部と、
を有することを特徴とする。
【発明の効果】
【００１０】
請求項１の発明では、認証場所の所定の第１読取範囲に前記物品が存在する場合に、第１情報媒体に記録された第１識別情報を読み取る第１読取部と、認証場所の所定の第２読取範囲に第２情報媒体を所持する人が存在する場合に、第２情報媒体に記録された第２識別情報を読み取る第２読取部とが設けられている。このように構成されているため、認証場所において、物品に付された情報媒体（第１情報媒体）と、人によって所持された情報媒体（第２情報媒体）をいずれも読み取ることができ、物品及び人にそれぞれ対応付けて記録された各情報をいずれも把握し、利用できるようになる。
更に、登録部に登録された第２特定情報と、第２読取部による読取結果とに基づき、第２情報媒体が読み取られたか否かを判断し、第２情報媒体が読み取られたと判断されたことを条件として所定の報知動作を行う構成となっている。つまり、登録部から把握される正規の第２情報媒体が読み取られた場合に所定の報知動作が行われるため、このような報知動作がなされた場合には、正規の訪問者が認証場所にいることを認識することができる。特に、人による携帯が予定された第２情報媒体を読み取ることで正規の訪問者であるか否かを判断することができるため、正規の訪問者が正規の第２情報媒体を携帯するという運用が確実になされていれば、「なりすまし」をより確実に防ぐことができる。
【００１１】
請求項２の発明では、前記登録部には、前記第１情報媒体に記録される識別情報を特定する第１特定情報と前記第２特定情報とが登録されており、前記判断部は、前記登録部に登録された前記第１特定情報及び前記第２特定情報と、前記第１読取部及び前記第２読取部による読取結果とに基づき、前記第１情報媒体及び前記第２情報媒体がいずれも読み取られたか否かを判断し、前記報知部は、前記判断部によって前記第１情報媒体及び前記第２情報媒体がいずれも読み取られたと判断されたことを条件として前記所定の報知動作を行う構成となっている。
この構成によれば、物品に付された情報と、人が携帯する媒体に付された情報がいずれも正しい場合にのみ所定の報知動作が行われるようになる。従って、このような報知動作が行われた場合には、正規の訪問者が正規の物品を所持して認証場所にいることを認識することができ、「なりすまし」の防止効果が一層高まる。
【００１２】
請求項３の発明では、前記第１情報媒体は、前記第１識別情報が記録される情報コードであり、前記第２情報媒体は、前記第２識別情報が記録される無線通信媒体である。
そして、前記第１読取部は、前記情報コード及び前記無線通信媒体が持ち込まれる前記認証場所に設定された所定の撮像範囲内を前記第１読取範囲として撮像する撮像部と、前記撮像範囲に前記情報コードが配置された場合に、前記撮像部によって得られた前記情報コードの撮像画像から少なくとも前記第１識別情報を読み取る解読部と、を備えている。
更に、前記第２読取部は、前記認証場所の所定の通信範囲に前記無線通信媒体が配置された場合に、当該通信範囲を前記第２読取範囲として前記無線通信媒体に記録された前記第２識別情報を読み取る無線読取部を有している。
この構成よれば、訪問者が持ち運ぶ物品には識別のために情報コードを付しておき、人が携帯する媒体には識別のために無線通信媒体を設けるように運用することができ、特に人が所持する媒体と物品を別種の情報媒体で管理することが望まれる場合に有利になる。
【００１３】
請求項４の発明では、前記情報コードは、少なくとも前記第１識別情報が暗号化キーに基づいて暗号化された暗号データが記録された非公開領域を有する情報コードであり、前記第２情報媒体は、前記第２識別情報が記録される無線通信媒体である。
そして、前記第１読取部は、前記情報コード及び前記無線通信媒体が持ち込まれる前記認証場所に設定された所定の撮像範囲内を前記第１読取範囲として撮像する撮像部と、外部から前記暗号データを解読するための解読キーを取得して記憶する解読キー記憶部と、前記撮像範囲に前記情報コードが配置された場合に、前記撮像部によって得られた前記情報コードの撮像画像を解析し、前記解読キー記憶部に記憶された前記解読キーに基づいて前記非公開領域に記録された前記暗号データを解読することで前記第１識別情報を読み取る解読部と、を備えている。
更に、前記第２読取部は、前記認証場所の所定の通信範囲に前記無線通信媒体が配置された場合に、当該通信範囲を前記第２読取範囲として前記無線通信媒体に記録された前記第２識別情報を読み取る無線読取部を有している。
そして、前記登録部には、前記情報コードに記録される前記第１識別情報を特定する情報として第１特定情報が登録され、前記無線通信媒体に記録される前記第２識別情報を特定する情報として前記第２特定情報が登録されており、前記判断部は、前記登録部に登録された前記第１特定情報と、前記解読部による読取結果とに基づき、前記情報コードの前記非公開領域が解読されたか否かを判断し、前記登録部に登録された前記第２特定情報と、前記無線読取部による読取結果とに基づき、前記無線通信媒体が読み取られたか否かを判断し、前記報知部は、前記判断部によって前記情報コードの前記非公開領域が解読されたと判断され、且つ前記無線通信媒体が読み取られたと判断された場合に、前記所定の報知動作を行う構成となっている。
この構成によれば、物品に付された情報と、人が携帯する媒体に付された情報がいずれも正しい場合にのみ所定の報知動作が行われ、更に、情報コードの非公開領域が解読された場合にのみ所定の報知動作が行われるようになるため、「なりすまし」の防止効果がより一層高まる。特に、暗号データを有さない限り情報コードの第１識別情報を解読できないため、第１識別情報の漏洩を防ぐことができ、第１識別情報を記録した偽の情報コードを生成することも困難であるため、不正防止効果がより一層高まる。
【００１４】
請求項５の発明では、前記第１情報媒体は、配達対象物品に付されるものであり、且つ当該第１情報媒体が付される前記配達対象物品を識別する物品識別情報が前記第１識別情報として記録されている。また、前記第２情報媒体は、配達者に割り当てられた配達者識別情報が前記第２識別情報として記録されている。そして、前記登録部には、各場所への配達を行う各正規配達者を特定する正規配達者特定情報が前記第２特定情報として登録されており、前記判断部は、前記登録部に登録された前記第２特定情報と、前記第２読取部よる読取結果とに基づき、前記第２読取部によって読み取りを行う前記認証場所への配達を行う正規配達者に対応する前記第２情報媒体が読み取られたか否かを判断し、前記報知部は、前記第２読取部によって読み取りを行う前記認証場所への配達を行う正規配達者に対応する前記第２情報媒体が読み取られたと前記判断部によって判断されたことを条件として前記所定の報知動作を行う構成となっている。
このように、配達場所毎の正規配達者を予め登録しておき、第２読取部によって読み取りを行った認証場所への配達を行う正規配達者に対応する第２情報媒体が読み取られたか否かを判断すれば、「なりすまし」をより確実に防ぐことができる。例えば、その認証場所への配達が予定されていない他の登録者の媒体を読み取らせても認証が成功せず、所定の報知動作が行われないため、不正防止効果が格段に高まる。
【００１５】
請求項６の発明では、前記第１情報媒体は、配達対象物品に付されるものであり、且つ当該第１情報媒体が付される前記配達対象物品を識別する物品識別情報が前記第１識別情報として記録されており、前記第２情報媒体は、配達者に割り当てられた配達者識別情報が前記第２識別情報として記録されている。
更に、前記登録部には、各場所へ配達されるべき各正規物品を特定する正規物品特定情報が前記第１特定情報として登録され、各場所への配達を行う各正規配達者を特定する正規配達者特定情報が前記第２特定情報として登録されている。
そして、前記判断部は、前記登録部に登録された前記第１特定情報及び前記第２特定情報と、前記第１読取部及び前記第２読取部による読取結果とに基づき、前記第１読取部及び前記第２読取部によって読み取りを行う前記認証場所へ配達されるべき正規物品に対応する前記第１情報媒体、及び当該認証場所への配達を行う正規配達者に対応する前記第２情報媒体が読み取られたか否かを判断し、前記報知部は、当該認証場所へ配達されるべき正規物品に対応する前記第１情報媒体、及び当該認証場所への配達を行う正規配達者に対応する前記第２情報媒体が読み取られたと前記判断部によって判断されたことを条件として前記所定の報知動作を行う構成となっている。
このように、配達場所毎の正規物品と配達場所毎の正規配達者とを予め登録しておき、第１読取部及び第２読取部によって読み取りを行った認証場所へ配達されるべき正規物品に対応する第１識別媒体が読み取られたか否か、及び配達を行う正規配達者に対応する第２情報媒体が読み取られたか否かを判断すれば、「なりすまし」をより確実に防ぐことができる。例えば、その認証場所への配達が予定されていない他の物品に付された媒体を読み取らせても認証が成功せず、その認証場所への配達が予定されていない他の登録者の媒体を読み取らせても認証が成功しないため、認証場所（配達場所）に対応付けられた正規物品及び正規配達者がいずれも認識できない状況下では「所定の報知動作」が行われることがなく、不正防止効果が更に高まる。
【００１６】
請求項７の発明では、１又は複数の機器からなり、所定の出入口を介して前記認証場所に通じる所在エリアに機器の一部又は全部が設けられた認証場所側装置と、前記所在エリアから離れた位置において前記認証場所側装置と通信可能に配置された１又は複数の機器からなる管理装置とが設けられている。
そして、前記管理装置は、前記登録部と、前記登録部に登録された情報に基づき、前記認証場所に対応する正規の前記第２情報媒体を特定する情報を、前記配達対象物品が当該認証場所に配達される前に、当該認証場所に通じる前記所在エリアに設けられた前記認証場所側装置に予め送信する特定情報送信部と、を有し、前記認証場所側装置は、前記配達対象物品が前記認証場所に配達される前に、前記特定情報送信部からの情報を受信して予め記憶しておく受信情報記憶部と、前記判断部と、前記報知部とを備えている。
そして、前記判断部は、前記受信情報記憶部に予め記憶された情報と、前記第２読取部による読取結果とに基づき、前記第２読取部で読み取りを行う前記認証場所に対応する前記第２情報媒体が読み取られたか否かを判断している。
このように、認証場所に対応する正規の第２情報媒体を特定する情報を、その認証場所に隣接する現場（所在エリア）に設けられた認証場所側装置に対して管理装置から予め送信しておけば、認証時に認証場所側装置と管理装置との間でデータを大量に送受信する必要が無く、認証処理をより迅速に行うことができる。
【００１７】
請求項８の発明では、１又は複数の機器からなり、所定の出入口を介して前記認証場所に通じる所在エリアに機器の一部又は全部が設けられた認証場所側装置と、前記所在エリアから離れた位置において前記認証場所側装置と通信可能に配置された１又は複数の機器からなる管理装置とが設けられている。
そして、前記管理装置は、前記登録部と、前記登録部に登録された情報に基づき、前記認証場所に対応する正規の前記第１情報媒体を特定する情報、及び前記認証場所に対応する正規の前記第２情報媒体を特定する情報を、前記配達対象物品が当該認証場所に配達される前に、当該認証場所に通じる前記所在エリアに設けられた前記認証場所側装置に予め送信する特定情報送信部と、を有し、前記認証場所側装置は、前記配達対象物品が前記認証場所に配達される前に、前記特定情報送信部からの情報を受信して予め記憶しておく受信情報記憶部と、前記判断部と、前記報知部とを備えている。
更に、前記判断部は、前記受信情報記憶部に予め記憶された情報と、前記第１読取部及び前記第２読取部による読取結果とに基づき、前記第１読取部及び前記第２読取部で読み取りを行う前記認証場所に対応する前記第１情報媒体及び前記第２情報媒体が読み取られたか否かを判断する構成となっている。
このように、認証場所に対応する正規の第１情報媒体を特定する情報と正規の第２情報媒体を特定する情報とを、その認証場所に隣接する現場（所在エリア）に設けられた認証場所側装置に対して管理装置から予め送信しておけば、認証時に認証場所側装置と管理装置との間でデータを大量に送受信する必要が無く、認証処理をより迅速に行うことができる。
【００１８】
請求項９の発明では、１又は複数の機器からなり、所定の出入口を介して前記認証場所に通じる所在エリアに機器の一部又は全部が設けられた認証場所側装置と、前記所在エリアから離れた位置において前記認証場所側装置と通信可能に配置された１又は複数の機器からなる管理装置とが設けられている。
そして、前記管理装置は、前記登録部と、前記配達対象物品の配達に用いる車の位置、又は前記配達対象物品を配達する配達者が携帯する情報読取端末の位置を検出する位置検出部と、前記位置検出部によって得られた検出位置のデータを前記認証場所側装置に送信する検出位置データ送信部と、を有している。
更に、前記認証場所側装置は、前記判断部と、前記報知部とを備えている。
そして、前記報知部は、前記検出位置データ送信部によって送信された前記検出位置のデータに基づき、当該報知部が配置される前記所在エリアへの前記配達対象物品の配達に用いる車の位置、又は前記配達対象物品を配達する配達者が携帯する情報読取端末の位置を表示する検出位置表示部を有している。
この構成によれば、所在エリアにおいて、配達対象物品を配達する配達者の認証だけでなく、その所在エリアへの配達が予定された配達対象物品の位置把握（その所在エリアに到達するまでのより詳細な位置把握）も可能になる。これにより、その所在エリアに配達対象物品が到達するタイミングをより正確に予測することが可能となり、例えば、訪問者があったときには、正規の配達対象物品が届いたことによる訪問であるか否かを、上述の認証と併せて、より正確に判断し易くなる。
【００１９】
請求項１０の発明では、前記報知部は、所定の出入口を介して前記認証場所に通じる所在エリアに機器の一部又は全部が設けられており、前記第１読取部及び前記第２読取部は、少なくとも前記所在エリアの外側を前記第１読取範囲及び前記第２読取範囲とする構成で、前記出入口を開閉する扉に装着される構成となっている。
このように、第１読取部及び前記第２読取部を扉に装着する構成とすれば、第１読取範囲及び第２読取範囲を扉の外側（認証場所）に設定し、その情報を扉の内側（所在エリア）で利用し得る構成を簡易に実現することができる。例えば、壁に大きな孔をあけて大掛かりな配線を埋設するような工事が不要となり、作業者にとっても、利用者にとっても非常に有利になる。
【図面の簡単な説明】
【００２０】
【図１】図１は、第１実施形態に係る認証システムを概念的に説明する説明図である。
【図２】図２は、図１の認証システムの電気的構成を例示するブロック図である。
【図３】図３は、図１の認証システムにおいて、配送者が扉の前でＲＦＩＤタグ及び情報コードをそれぞれＲＦＩＤタグリーダ及び情報コードリーダに読み取らせる様子を側方から概念的に示す概念図である。
【図４】図４（Ａ）は、図２の認証用機器における無線リーダ部等を例示するブロック図であり、図４（Ｂ）は、図２の認証用機器における撮像部等を例示するブロック図である。
【図５】図５は、図１の認証システムで用いられるＲＦＩＤタグの電気的構成を例示するブロック図である。
【図６】図６は、図１の認証システムにおいて、配達者が携帯する読取端末の電気的構成を例示するブロック図である。
【図７】図７は、図１の認証システムで用いられる情報コードのコード構成を概念的に説明する説明図である。
【図８】図８（Ａ）は、図７の情報コードのデータ構成を例示する説明図であり、図８（Ｂ）は、その情報コードの公開領域に記録する公開データを例示する説明図であり、図８（Ｃ）は、その情報コードの非公開領域に記録する暗号データを例示する説明図である。
【図９】図９は、図１の認証システムを構成する各装置での処理の流れを例示するフローチャートである。
【図１０】図１０は、図１の認証システムにおける表示用機器での表示処理の具体的な流れを例示するフローチャートである。
【図１１】図１１（Ａ）は、登録部に登録された各社員のデータを概念的に説明する説明図であり、図１１（Ｂ）は、登録部に登録された配送対象物品（配送物）毎のデータを概念的に説明する説明図である。図１１（Ｃ）は、サーバから認証場所側装置に送信されるデータの例を概念的に説明する説明図である。
【図１２】図１２は、図１の認証システムを構成する表示用機器での表示例を概略的に示す説明図であり、配達者の顔画像（予め送信された画像）が表示部に表示される様子を示す図である。
【図１３】図１３は、図１の認証システムを構成する表示用機器での表示例を概略的に示す説明図であり、配達対象物の位置が表示部に表示される様子を示す図である。
【図１４】図１４は、図１の認証システムを構成する表示用機器での表示例を概略的に示す説明図であり、到着した配達者の画像（認証場所での撮像画像）が表示部に表示される様子を示す図である。
【発明を実施するための形態】
【００２１】
［第１実施形態]
以下、本発明の認証システムを具現化した第１実施形態について、図面を参照して説明する。
（認証システムの全体構成）
まず、図１〜図４等を参照して第１実施形態に係る認証システムの全体構成を概説する。
図１に示す認証システム１は、例えば個人宅や会社など、物品の届け先（配達場所）として想定される所在エリアＡＲ１（図３参照）のエリア外に設定された認証場所ＡＲ２（図３参照）において、当該認証場所ＡＲ２に存在する媒体の認識を行い、認証を行うシステムとして構成されている。この認証システム１では、図３に示すように、読取対象となる媒体として、第１識別情報が記録されると共に物品（配送物８０）に付して使用可能な情報コードＣ（第１情報媒体）と、第２識別情報が記録されると共に人によって携帯されるＲＦＩＤタグ７０（第２情報媒体）とが用いられる。
【００２２】
また、図２に示すように、認証システム１は、個人宅や会社などの所在エリアＡＲ１に設けられる認証場所側装置（基地局１０、認証用機器３０、表示用機器４０）を備えている。なお、このような認証場所側装置（基地局１０、認証用機器３０、表示用機器４０）は、個人宅や会社などの複数の配達対象場所（届け先となる所在エリア）にそれぞれ設置することができ、それぞれの配達対象場所（所在エリア）にて認証を行うことができるようになっている。また、各配達対象場所（所在エリア）に設置される認証場所側装置（基地局１０、認証用機器３０、表示用機器４０）は、一つの装置として一体的に構成されていてもよく、それぞれが別々の装置として構成されていてもよい。例えば、基地局１０と表示用機器４０は、一つの装置として一体的に構成されていてもよく、別々の装置として構成されていてもよい。また、認証用機器３０は、１つの装置によって一体的に構成されていてもよく、複数の装置によって構成されていてもよい。同様に、表示用機器４０も、１つの装置によって一体的に構成されていてもよく、複数の装置によって構成されていてもよい。
【００２３】
また、各配達対象場所（所在エリア）に設置される認証場所側装置（基地局１０、認証用機器３０、表示用機器４０）と通信可能な構成で、管理装置（サーバ２０）が設けられている。管理装置としてのサーバ２０は、各配達対象場所に設置される各認証場所側装置（基地局１０、認証用機器３０、表示用機器４０）と通信可能な構成（例えば、インターネットなどの公衆通信回線、或いは専用回線などを介して通信可能な構成）で各認証場所側装置から離れた位置に配置されており、例えば、認証システム１を運用する事業者の会社内に設けられた管理室などに配置されるようになっている。なお、各配達対象場所の各認証場所側装置と通信可能であれば、管理装置（サーバ２０）の配置場所は上述の例に限定されるものではない。また、サーバ２０も、１つの装置によって一体的に構成されていてもよく、複数の装置によって構成されていてもよい。
【００２４】
（管理装置）
管理装置（サーバ２０）は、パーソナルコンピュータなどの情報処理装置として構成されており、インターネットなどの通信回線と接続し得る通信インターフェイス２４と、制御部２２と、記憶部２６とを備えている。制御部２２は、ＣＰＵなどの公知の制御回路として構成されており、サーバ２０内における各種制御を行う構成となっている。記憶部２６は、ＲＯＭ、ＲＡＭ、ハードディスクドライブ、不揮発性メモリなどの公知の記憶媒体として構成されており、様々な情報を記憶可能に構成されている。また、サーバ２０には、図示しない操作部（マウスやキーボードなどの入力デバイス等）が設けられていてもよく、図示しない表示装置（液晶表示器などの公知の表示装置）が設けられていてもよい。
【００２５】
（認証場所側装置）
基地局１０は、個人宅や会社などの建物内（所在エリア）又はその近傍に設けられており、認証用機器３０や表示用機器４０と通信を行う構成となっている。この基地局１０は、インターネットなどの通信回線を介してサーバ２０と接続されており、サーバ２０と通信を行う構成となっている。基地局１０は、ＣＰＵなどの制御回路からなる制御部１２と、ＲＯＭ、ＲＡＭ、不揮発性メモリなどの公知の記憶装置からなる記憶部１３と、外部装置と有線通信又は無線通信を行うための通信インターフェイス１４とを備えており、外部装置（サーバ２０、認証用機器３０、表示用機器４０など）から取得した情報を処理する機能、外部装置に対して情報を送信する機能などを有している。なお、基地局１０には、図示しない操作部、表示部などが設けられていてもよい。
【００２６】
認証用機器３０は、バーコードや二次元コードなどの情報コードを読み取る情報コードリーダとしての機能と、無線タグ（図３の例ではＲＦＩＤタグ７０）を読み取る無線タグリーダとしての機能とを備え、読み取りを二方式で行いうる構成をなしている。
【００２７】
図４に示すように、認証用機器３０は、全体的制御を司る制御部３２を備えており、この制御部３２に、通信インターフェイス３４、記憶部３６、撮像部５０、無線リーダ部６０などが接続されている。なお、図示はしていないが、制御部３２に接続される構成で、操作部や表示部が設けられていてもよい。
【００２８】
制御部３２は、マイコンを主体として構成されるものであり、ＣＰＵ、システムバス、入出力インターフェイス等を有し、記憶部３６とともに情報処理装置として機能している。通信インターフェイス３４は、外部（例えば基地局１０や表示用機器４０）との間でのデータ通信（例えば、公知の無線ＬＡＮ方式やBluetooth(登録商標）方式などの無線通信、或いはケーブルを介した有線通信等）を行うためのインターフェイスとして構成されており、制御部３２と協働して通信処理を行う構成をなしている。なお、認証用機器３０は、当該機器に設けられた電池から電力供給を受ける構成であってもよく、外部の商用電源などから電力供給を受ける構成であってもよい。
【００２９】
無線リーダ部６０は、アンテナ６５及び制御部３２と協働して無線タグ（ＲＦＩＤタグ７０）との間で電磁波による通信を行い、ＲＦＩＤタグ７０に記憶されるデータの読み取り、或いはＲＦＩＤタグ７０へのデータの書き込みを行うように機能している。この無線リーダ部６０は、例えば公知の電波方式で伝送を行う回路として構成されており、図４（Ａ）に示すように、送信回路６１、受信回路６２、整合回路６３などを有している。
【００３０】
送信回路６１は、キャリア発振器、符号化部、増幅器、送信部フィルタ、変調部などによって構成されており、キャリア発振器から例えば周波数９５３ＭＨｚのキャリア（搬送波）が出力される構成をなしている。なお、周波数帯はこの例に限定されるものではない。また、符号化部は、制御部３２に接続されており、当該制御部３２より出力される送信データを符号化して変調部に出力している。変調部は、キャリア発振器からのキャリア（搬送波）、及び符号化部からの送信データが入力される部分であり、キャリア発振器より出力されるキャリア（搬送波）に対し、通信対象へのコマンド送信時に符号化部より出力される符号化された送信符号（変調信号）によってＡＳＫ（Amplitude Shift Keying）変調された被変調信号を生成し、増幅器に出力している。増幅器は、入力信号（変調部によって変調された被変調信号）を所定のゲインで増幅し、その増幅信号を送信部フィルタに出力しており、送信部フィルタは、増幅器からの増幅信号をフィルタリングした送信信号を、整合回路６３を介してアンテナ６５に出力している。このようにしてアンテナ６５に送信信号が出力されると、その送信信号が電磁波として当該アンテナ６５より外部に放射される。
【００３１】
一方、アンテナ６５によって受信された電波信号は、整合回路６３を介して受信回路６２に入力される。この受信回路６２は、受信部フィルタ、増幅器、復調部、二値化処理部、複号化部などによって構成されており、アンテナ６５を介して受信された信号を受信部フィルタによってフィルタリングした後、増幅器によって増幅し、その増幅信号を復調部によって復調する。そして、その復調された信号波形を二値化処理部によって二値化し、復号化部にて復号化した後、その復号化された信号を受信データとして制御部３２に出力している。
【００３２】
撮像部５０は、図４（Ｂ）に示すように、ＣＣＤエリアセンサなどの固体撮像素子からなる受光センサ５３、結像レンズ５７、複数個のＬＥＤやレンズ等から構成される照明部５１などを備えた構成をなしており、制御部３２と協働して読取対象物Ｒ（図１の例では配送物８０）に付された情報コードＣを読み取るように機能する。なお、本構成では、情報コードＣとして例えばＱＲコード（登録商標）などが用いられており、この情報コードＣの具体的構成については後述する。
【００３３】
この撮像部５０では、例えば情報コードＣの読み取りを行う場合、まず、制御部３２から指令を受けた照明部５１にて照明光Ｌｆが出射され、この照明光Ｌｆが読取口（図示略）を通って読取対象物Ｒに照射されるようになっている。そして、照明光Ｌｆが情報コードＣにて反射した反射光Ｌｒは読取口を通って装置内に取り込まれ、結像レンズ５７を通って受光センサ５３に受光される。読取口（図示略）と受光センサ５３との間に配される結像レンズ５７は、情報コードＣの像を受光センサ５３上に結像させる構成をなしており、受光センサ５３はこの情報コードＣの像に応じた受光信号を出力する。受光センサ５３から出力される受光信号は、画像データとして記憶部３６（図２）に記憶され、デコード処理などに用いられるようになっている。なお、撮像部５０には、受光センサ５３からの信号を増幅する増幅回路や、その増幅された信号をデジタル信号に変換するＡＤ変換回路等が設けられているがこれらの回路については図示を省略している。
【００３４】
図３の例では、例えば個人宅（例えば一軒家、アパート、マンションなど）の屋内（建物内）が所在エリアＡＲ１となっており、所在エリアＡＲ１の出入口Ｈ（例えば一軒家、アパート、マンションなどの玄関等）に、この出入口Ｈを開閉するための扉Ｄが配置されている。なお、図３では、建物の壁Ｊに形成された開口部が出入口Ｈとなっており、この出入口Ｈを開閉するように、回動式、スライド式などの公知の開閉機構によって構成される扉Ｄが設けられている。そして、扉Ｄの外側（建物の外側）において出入口Ｈを介して所在エリアＡＲ１（建物の内側）に通じる所定領域（より具体的には、扉Ｄに隣接する所定領域ＡＲ２）が認証場所ＡＲ２となっている。なお、図３の例では、少なくとも扉Ｄから一定距離の範囲内において、扉Ｄの上端部から下側且つ歩行面（地面或いは床面）Ｇよりも上側の領域が認証場所ＡＲ２となっている。
【００３５】
そして、このような認証場所ＡＲ２で良好に読み取りを行うため、第１読取部及び第２読取部として機能する認証用機器３０は、少なくとも所在エリアＡＲ１の外側の認証場所ＡＲ２内を第１読取範囲（撮像部５０による撮像範囲）及び第２読取範囲（無線リーダ部６０による通信範囲）とする構成で、出入口Ｈを開閉する扉Ｄの上端部に装着されている。図３の例では、受光センサ５３やアンテナ６５を扉Ｄの外側（建物の外側である領域ＡＲ２側）に配置した構成で、認証用機器３０が扉Ｄの上部に着脱可能に掛けられており、例えば、このように扉Ｄに取り付けられた認証用機器３０と所在エリアＡＲ１の内部に配置された基地局１０との間で無線通信が行われるようになっている。より具体的には、扉Ｄの上端部に装着具３８が着脱可能に固定され、この装着具３８に、撮像部５０、無線リーダ部６０、通信インターフェイス３４などが一体的に保持されている。そして、装着具３８を扉Ｄから取り外すことで認証用機器３０を扉Ｄから取り外すことができるようになっている。また、装着具３８は、図３のような扉Ｄの閉塞時に扉Ｄの上端部と建物Ｊの壁（出入口Ｈの内壁）との間の隙間に配置され、建物の内側（即ち所在エリアＡＲ１側）と建物の外側（即ち、認証場所ＡＲ２側）とに跨るようになっている。そして、このような装着具３８の認証場所ＡＲ２側に無線リーダ部６０、アンテナ６５、撮像部５０などが固定され、装着具３８の所在エリアＡＲ１側に、通信インターフェイス３４などが固定されるようになっている。このように認証用機器３０を構成すれば、取付の際に複雑な工事（壁に多数の連結部材を打ち付ける工事や配線工事など）が必要とならず、様々な建物の出入口付近に簡単に取り付けやすくなる。
【００３６】
なお、図３の例はあくまで一例であり、例えば認証用機器３０全体が建物の外側（認証場所ＡＲ２側）に取り付けられ、所在エリアＡＲ１側の機器（表示用機器４０など）と無線通信を行うように構成されていてもよい。
【００３７】
表示用機器４０は、制御部４２、通信インターフェイス４４、表示モニター４６と、スイッチ４８などを備えている。制御部４２は、例えばマイコンを主体として構成されるものであり、ＣＰＵ、システムバス、入出力インターフェイス等を有し、記憶部４３とともに情報処理装置として機能している。通信インターフェイス４４は、外部（例えば基地局１０や認証用機器３０）との間でのデータ通信（例えば、公知の無線ＬＡＮ方式やＢｌｕｅＴｏｏｔｈ（登録商標）方式などの無線通信、或いはケーブルを介した有線通信等）を行うためのインターフェイスとして構成されており、制御部４２と協働して通信処理を行う構成をなしている。なお、表示用機器４０は、当該機器に設けられた電池から電力供給を受ける構成であってもよく、外部の商用電源などから電力供給を受ける構成であってもよい。また、表示用機器４０は、例えば専用端末として構成されていてもよく、スマートフォンや携帯電話機などの多機能を有する端末として構成されていてもよい。また、表示用機器４０は、携帯型の装置であってもよく、据置型や固定型の装置であってもよい。
【００３８】
（第１情報媒体）
次に、第１情報媒体に相当する情報コードＣについて図７、図８等を参照して説明する。なお、図７では、情報コードＣの具体的セル構成は省略しているが、公知のＱＲコードと同様の構成（明色セル及び暗色セルをマトリックス状に配列した構成）とすることができる。
【００３９】
情報コードＣは、例えば配送物８０などの物品に付されて用いられるものであり、例えば、当該情報コードＣ又は配送物８０に固有に割り当てられた情報（例えばコード固有ＩＤや配送物番号など）、付される配送物８０の内容（物品名、物品種類名など）、配送物８０の配送先を特定し得る情報（配送先（届け先）の住所、受取者の氏名又は名称、電話番号など）、配送物８０の配送元を特定し得る情報（配送元（依頼主）の住所、氏名又は名称、電話番号など）などが記録されている。この情報コードＣは、図７に示すように、暗号化キーを用いずに読み取りが可能となる非暗号化データ（公開データ）が記録される公開領域Ｃａと、暗号化キーによって暗号化された暗号化データ（非公開データ）が記録される非公開領域Ｃｂと、誤り訂正符号が記録される誤り訂正領域とを備えている。
【００４０】
一部領域を非公開領域（暗号化キーに対応する解読キーの取得を条件として読み取り可能な領域）とし、他の領域を公開領域（解読キーを用いずに読み取り可能な領域）とするような情報コードＣ（一部非公開コード）の生成方法や生成される情報コードＣの具体的構成としては、例えば、特開２００９−９５４７公報、特開２００８−２９９４２２公報などに開示された技術を好適に用いることができる。図８（Ａ）には、これら公報の技術を利用して生成される情報コードＣのデータ構成を例示しており、このうち、「開示コード」は、図８（Ｂ）のような各開示データをＪＩＳの基本仕様（ＪＩＳＸ０５１０：２００４）に従って符号化したものである。また、秘匿コードは、図８（Ｃ）のような各暗号データをＪＩＳの基本仕様（ＪＩＳＸ０５１０：２００４）に従って符号化したものである。なお、特開２００９−９５４７公報、特開２００８−２９９４２２公報に示す方法では、非公開領域に記録される秘匿コード内に復号キーや復号キーを特定しうる復号キー検査データが含まれた例も開示されているが、本構成では、非公開領域内に復号キーや復号キー検査データを含ませないようにしている。
【００４１】
このような情報コードＣ（一部非公開コード）の読み取り方法は基本的には上記特開２００９−９５４７公報、特開２００８−２９９４２２公報の場合と同様であり、まず、先頭から終端子までのデータを公知のＱＲコードと同様の方法で読み取り、その後、所定位置（図８（Ａ）の例では終端子の直後）に秘匿識別子があるか否かを判断し、秘匿識別子が存在する場合には、その秘匿識別子の後に続く非公開領域のデータを読み取ることになる。この非公開領域のデータは上述したように暗号化キーによって暗号化されているため、認証用機器３０内にこの暗号を解読するための解読キーが存在する場合のみ解読できる。具体的には、非公開領域のデータは、上述の暗号化キーを鍵として所定の暗号化アルゴリズムを用いて暗号化されているため、認証用機器３０内にこの暗号化キーに対応する解読キー（例えば暗号化キーと同一のキー）が存在する場合に、その解読キーを鍵として所定の解読アルゴリズム（上記暗号化アルゴリズムで暗号化された暗号を解読するためのアルゴリズム）を用いて解読できるようになっている。
【００４２】
なお、情報コードＣ（一部非公開コード）の生成方法や生成される情報コードＣの具体的構成はこの例に限られるものではなく、一部領域に暗号化データを記録し、他の領域に非暗号化データを記録した二次元コードを生成可能な方法であれば、これら公報に記載された方法以外の方法で生成されていてもよい。
【００４３】
また、情報コードＣでは、情報コードＣ又は配送物８０に固有に割り当てられた情報（例えばコード固有ＩＤや配送物番号など）、配送物８０の配送先を特定し得る情報（配送先（届け先）の住所、受取者の氏名又は名称、電話番号など）、配送物８０の配送元を特定し得る情報（配送元（依頼主）の住所、氏名又は名称、電話番号など）が「第１識別情報」（配達対象物品を識別する物品識別情報）に相当し、これらの内のいずれかの情報又は複数の情報を暗号化して非公開領域に記録している。
【００４４】
（第２情報媒体）
第２情報媒体として機能するＲＦＩＤタグ７０は、「無線通信媒体」の一例に相当するものであり、ハードウェア的には例えば公知のＲＦＩＤタグとして構成され、図５に示すように、アンテナ７１，電源回路７２，復調回路７３，制御回路７４，メモリ７５，変調回路７６などによって構成されている。電源回路７２は、アンテナ７１を介して受信した認証用機器３０からの送信信号（キャリア信号）を整流、平滑して動作用電源を生成するものであり、その動作用電源を、制御回路７４をはじめとする各構成要素に供給している。また、復調回路７３は、送信信号（キャリア信号）に重畳されているデータを復調して制御回路７４に出力している。メモリ７５は、ＲＯＭ，不揮発性メモリ等の各種半導体メモリによって構成されており、制御プログラムやＲＦＩＤタグ７０を識別するためのタグ識別情報（タグＩＤ）、ＲＦＩＤタグ７０の用途に応じてユーザが設定したデータなどが記憶されている。
【００４５】
具体的には、図３に示すように、社員証などの身分証明証Ｅの内部にＲＦＩＤタグ７０が内蔵されており、このＲＦＩＤタグ７０のメモリ７５には、身分証明証Ｅで特定される個人の個人情報（当該個人に割り当てられたＩＤ（社員番号など）、氏名、部署、会社名）などが「第２識別情報」（配達者識別情報）として記録されている。そして、制御回路７４は、メモリ７５から上記情報やデータを読み出し、それを送信データとして変調回路７６に出力する構成をなしており、変調回路７６は、キャリア信号を当該送信データで負荷変調してアンテナ７１から反射波として送信するように構成されている。
【００４６】
（認証処理）
次に、認証システム１で行われる認証処理等について説明する。
この認証システム１では、上述の認証用機器３０が、第１読取部、第２読取部として機能している。具体的には、情報コードＣ（第１情報媒体）及びＲＦＩＤタグ７０（第２情報媒体）の読み取りを行う認証場所ＡＲ２の所定の第１読取範囲に配送物８０（物品）が存在する場合に、この情報コードＣ（第１情報媒体）に記録された第１識別情報を読み取るように機能している。更に、認証場所ＡＲ２の所定の第２読取範囲にＲＦＩＤタグ７０（第２情報媒体）を所持する人が存在する場合に、このＲＦＩＤタグ７０（第２情報媒体）に記録された第２識別情報を読み取るように機能している。
【００４７】
本構成では、サーバ２０に設けられた記憶部２６が登録部として機能しており、正規の情報コードＣに記録される識別情報を特定する第１特定情報（より具体的には、各場所へ配達されるべき各正規物品を特定する正規物品特定情報）と、正規のＲＦＩＤタグ７０に記録される識別情報を特定する第２特定情報（より具体的には、各場所への配達を行う各正規配達者を特定する正規配達者特定情報）とが登録されている。具体的には、図１１（Ｂ）のような情報がサーバ２０の記憶部２６に蓄積されており、配達が予定された物品に対応付けて付される情報コードＣのコードＩＤが登録されている。これらのコードＩＤが第１特定情報（正規物品特定情報）の一例に相当しており、このように登録されるコードＩＤによって正規の情報コードが特定されるようになっている。つまり、記憶部２６に登録された各コードＩＤが記録される各情報コードが正規の情報コードに該当する。また、図１１（Ｂ）のように、記憶部２６には、配達が予定された各物品に対応付けて、各物品の配達者を特定する情報（配達者ＩＤ）が登録されている。これらの配達者ＩＤが第２特定情報（正規配達者特定情報）の一例に相当しており、このように登録される配達者ＩＤによって正規の配達者が特定されるようになっている。つまり、記憶部２６に登録された各配達者ＩＤによって特定される各配達者が正規の配達者に該当する。
【００４８】
また、サーバ２０の記憶部２６には、予め配達作業を行うことが予定された各予定者（図１１（Ａ）の例では社員）にそれぞれ対応付けてＩＤ（図１１（Ａ）の例では固有の社員ＩＤ）が割り当てられて登録されており、更に、各予定者（図１１（Ａ）の例では社員）にそれぞれ対応付けて各予定者の顔の写真を含む画像データがそれぞれ登録されている。そして、図１１（Ｂ）のように、各物品を配達する配達者が決められたときには、各物品に対応付けて配達者名、配達者ＩＤ、配達者の画像を登録している。このように構成されているため、配達対象物品が特定されれば、その配達対象物品の配送先の情報（配送先住所や受取人名など）だけでなく、配達する配達者の配達者名、配達者ＩＤ、顔の画像を特定できることになる。また、図１１（Ｂ）のデータベースには、物品毎に、各物品と対応付けて各物品の配送の日にち及び配送の時間帯が記憶されている。従って、物品（配達対象物品）が特定されれば、図１１（Ｂ）のデータベースによってその物品の配送日及び配送時間帯が把握できるようになっている。
【００４９】
そして、制御部３２及び撮像部５０が第１読取部として機能している。撮像部５０は、認証場所ＡＲ２に設定された所定の撮像範囲内を第１読取範囲として撮像する構成となっており、この撮像範囲に情報コードＣが配置された場合にはこの情報コードＣの撮像画像を生成するように機能する。また、制御部３２及び記憶部３６が解読キー記憶部として機能し、外部から暗号データを解読するための解読キーを取得して記憶部３６に記憶する構成となっている。なお、外部からの解読キーの入力方法としては、認証用機器３０に設けられた図示しない操作部を操作することで解読キー（情報コードＣの非公開領域の暗号データを解読するためのキー）を入力するようにしてもよく、サーバ２０などからこのような解読キーを認証用機器３０に送信することで、認証用機器３０が解読キーを取得できるようにしてもよい。そして、制御部３２は、解読部の一例に相当し、撮像部５０の撮像範囲に情報コードＣが配置された場合に、撮像部５０が情報コードＣを撮像して得られた当該情報コードＣの撮像画像を解析し、情報コードＣから第１識別情報（上述のコードＩＤ等）などを解読するように機能する。具体的には、撮像部５０によって得られた情報コードＣの撮像画像を解析し、記憶部３６（解読キー記憶部）に記憶された解読キーに基づいて非公開領域に記録された暗号データを解読することで第１識別情報を読み取るように機能している。なお、撮像部５０による撮像範囲（第１読取範囲）は、少なくとも扉Ｄの近傍に設定されていればよく、例えば、図３のように下側又は斜め下側を撮像するように撮像部５０が配置されている場合、撮像部５０よりも下側であって且つ扉Ｄから所定距離以内の領域が全て撮像範囲となるように設定することができる。
【００５０】
また、制御部３２、無線リーダ部６０、及びアンテナ６５は、第２読取部、無線読取部として機能しており、認証場所ＡＲ２内の所定の通信範囲にＲＦＩＤタグ７０（無線通信媒体）が配置された場合に、当該通信範囲を第２読取範囲としてＲＦＩＤタグ７０（無線通信媒体）に記録された第２識別情報（上述の配達者ＩＤ等）を読み取るように機能する。なお、無線リーダ部６０による通信範囲（第２読取範囲）は、少なくとも扉Ｄの近傍に設定されていればよく、例えば、少なくとも扉Ｄから一定距離（例えば数メートル）以内であれば全て通信範囲内になるように設定することができる。
【００５１】
そして、認証用機器３０では、判断部に相当する制御部４２により、上記記憶部２６（登録部）に登録された第１特定情報及び第２特定情報と、第１読取部及び第２読取部による読取結果とに基づき、情報コードＣ（第１情報媒体）及びＲＦＩＤタグ７０（第２情報媒体）がいずれも読み取られたか否か（具体的には、情報コードＣの非公開領域が解読されたか否か、及びＲＦＩＤタグ７０が読み取られたか否か）を判断している。より詳しくは、第１読取部及び第２読取部によって読み取りを行った認証場所ＡＲ２へ配達されるべき正規物品に対応する情報コードＣ（第１情報媒体）、及び当該認証場所ＡＲ２への配達を行う正規配達者に対応するＲＦＩＤタグ７０（第２情報媒体）が読み取られたか否かを制御部４２が判断しており、具体的には、記憶部２６に登録された当該認証場所ＡＲに対応付けられたコードＩＤが記録された情報コードＣが読み取られ、且つ記憶部２６に登録された当該認証場所ＡＲに対応付けられた配達者ＩＤが記録されたＲＦＩＤタグ７０が読み取られたか否かを判断している。
【００５２】
そして、報知部に相当する表示用機器４０（具体的には制御部４２及び表示モニター４５）では、「認証用機器３０によって情報コードＣ（第１情報媒体）及びＲＦＩＤタグ７０（第２情報媒体）がいずれも読み取られている」と制御部３２によって判断されたことを条件として、認証が成功した旨を知らしめるための「所定の報知動作」を行うようになっている。より具体的には、制御部３２により認証場所ＡＲ２へ配達されるべき正規物品に対応する情報コードＣの非公開領域が解読されたと判断され、且つ認証場所ＡＲ２への配達を行う正規配達者に対応するＲＦＩＤタグ７０が読み取られたと判断されたことを条件として「所定の報知動作」を行っている。なお、「所定の報知動作」は、認証が成功したことを知らせるメッセージ表示や図形表示などであってもよく（図１４参照）、認証が成功したことを音声によって知らせる音声報知などであってもよい。また、所定のランプ表示、ブザー報知などであってもよい。
【００５３】
この認証システム１は、具体的には図９のような流れで処理が行われるようになっている。まず、サーバ２０では、図１１（Ｂ）のような情報が収集されて記憶部２６（図２）に登録される（Ｓ１）。そして、各物品のデータが登録される度に、物品の配達先に設けられた認証場所側装置（具体的には基地局１０）に対して、その配達先の物品に対応付けられた情報（図１１（Ｃ））を送信（情報配信）するようになっている（Ｓ２）。なお、図１１（Ｂ）のような登録データには、各物品を配送する配送先住所の情報と共にその配送先住所にある認証場所側装置（基地局１０、認証用機器３０、表示用機器４０）を特定する識別情報（例えば、メールアドレス、ＩＰアドレス、その他の機器識別情報）が登録されており、物品の配送先の住所が特定されれば、その住所に存在する認証場所側装置に情報を送信可能となっている。
【００５４】
サーバ２０から図１１（Ｃ）のようなデータが送信された基地局１０では、そのデータの一部又は全部を表示用機器４０に送信する。なお、本構成では、サーバ２０の制御部２２及び通信インターフェイス２４が特定情報送信部の一例に相当し、記憶部２６（登録部）に登録された情報に基づき、認証場所ＡＲ２に対応する正規の情報コードＣ（第１情報媒体）を特定する情報（例えば、認証場所ＡＲ２に対応するコードＩＤ）、及び認証場所ＡＲ２に対応する正規のＲＦＩＤタグ７０（第２情報媒体）を特定する情報（例えば、認証場所ＡＲ２に対応する配達者ＩＤ）を、配送物８０（配達対象物品）が当該認証場所ＡＲ２に配達される前に、当該認証場所ＡＲ２に通じる所在エリアＡＲ１に設けられた認証場所側装置（具体的には基地局１０又は表示用機器４０）に予め送信するように機能する。また、コードＩＤや配達者ＩＤだけでなく、図１１（Ｃ）のように登録される情報、即ち、配達が予定された物品の物品名、配送先の住所、受取人名、送り主の住所、送り主名、配達者名、配達者の画像なども互いに対応付けられて一連のデータとして送信されるようになっている。一方、認証場所側装置の制御部４２及び記憶部４３は、受信情報記憶部の一例に相当し、配送物８０（配達対象物品）が認証場所ＡＲ２に配達される前に、上記特定情報送信部からの情報を受信して予め記憶しておくように機能する。
【００５５】
そして、このようなデータ（図１１（Ｃ）参照）を受けた表示用機器４０では、そのデータに含まれる配達者の画像や配達者名、その他のメッセージなどを表示する（Ｓ４）。なお、図１２は、Ｓ４での表示例を示すものである。このような表示により、表示用機器４０が配置された所在エリアＡＲ１内において、その所在エリアＡＲ１に訪問してくる配達者の顔や名前などを事前に把握しておくことができる。また、表示内容はこの例に限られず、配達が予定された物品の物品名、配送先の住所、受取人名、送り主の住所、送り主名などを表示してもよい。このようにすることで、具体的な配達内容を事前に把握することができ、想定される配送であればより安心感をもって荷物を受け取りやすくなる。また、不審な荷物等の場合に早めに受け取り拒否の連絡や問い合わせをするといったことも可能となる。
【００５６】
そして、Ｓ４の処理の後、図３に示す認証場所に訪問者があった場合には、その認証場所を検出場所とするスイッチが動作するようになっている。このスイッチ（認証用機器起動スイッチ）は、例えば、公知の人感センサなどによって構成されており、例えば、認証場所に人がいることを、赤外線、超音波、可視光などを媒介として検出するように機能する。なお、認証用機器起動スイッチは、人感センサの例に限られるものではなく、例えば表示用機器４０のスイッチ４８であってもよい。例えば、訪問者が建物の外壁や門などに設置されたインターフォンを押したときに、所在エリアＡＲ１内にいる者が訪問者の到来を把握することができるため、この場合にスイッチ４８に対して所定操作を行うことで、表示用機器４０に対し認証場所に人がいることを知らせることができる。この例では、制御部４２がスイッチ４８から所定信号を受けたときに、スイッチ４８（認証用機器起動スイッチ）のオン動作を検出することになる。
【００５７】
表示用機器４０では、訪問者の到来によりスイッチ（認証用機器起動スイッチ）がオン動作した場合には、認証用機器３０との通信を開始する（Ｓ５）。一方、認証用機器３０は、訪問者の到来によって上記スイッチ（認証用機器起動スイッチ）がオン動作した場合に、撮像部５０及び無線リーダ部６０を動作させ、情報コードの読み取り、及びＲＦＩＤの読み取り処理を開始する（Ｓ６）。また、認証用機器３０は、Ｓ６で撮像部５０を動作させた後には、その撮像部５０での撮像画像を表示用機器４０に送信する（Ｓ７）。そして、このような撮像画像を受けた表示用機器４０では、その撮像画像を表示モニター４６に表示する（Ｓ８）。なお、Ｓ８で表示する撮像画像は、Ｓ６で撮像部５０が起動した直後の画像であってもよく、Ｓ６で撮像部５０が起動した後の撮像画像を継続的或いは断続的に表示してもよい。このように認証用機器３０から表示用機器４０に撮像画像を送信し、それを表示用機器４０の表示モニター４６に表示することで、所在エリアＡＲ１内にいる者が表示モニター４６を見て訪問者の顔を認識できるようになる。
【００５８】
一方、認証用機器３０では、Ｓ７で撮像画像を表示用機器４０に送信した後、或いは撮像画像の送信と並行して情報コードＣの読み取り、及びＲＦＩＤタグ７０の読み取りを行う（Ｓ９）。例えば、Ｓ６での撮像部５０や無線リーダ部６０の起動後、図３のように撮像部５０の撮像範囲に配送物８０（配達対象物品）の情報コードＣが配置されたときには、撮像部５０が撮像した情報コードＣのコード画像に対して制御部３２が公知のデコード処理を行い、この情報コードＣを解読する。この情報コードＣの解読処理は、上述した通りであり、記憶部３６（解読キー記憶部）に記憶された解読キーに基づいて非公開領域に記録された暗号データを解読することで第１識別情報（例えばコードＩＤ）などを読み取る。また、Ｓ６での撮像部５０や無線リーダ部６０の起動後、図３のように無線リーダ部６０の通信範囲に配達者Ｐの身分証明証Ｅ内のＲＦＩＤタグ７０が配置されたときには、無線リーダ部６０がＲＦＩＤタグ７０に記録された第２識別情報（例えば配達者ＩＤ）などを読み取る。そして、情報コードＣの読み取りによって得られたデータと、ＲＦＩＤタグ７０の読み取りによって得られたデータを表示用機器４０に送信する（Ｓ１０）。
【００５９】
表示用機器４０では、Ｓ８の処理の後又はＳ８の処理と並行して、認証処理が行われるようになっている（Ｓ１１）。このＳ１１の認証処理は例えば図１０のような流れで行われる。なお、本構成では、例えば図１０の処理において、Ｓ１、Ｓ２の処理を図９に示すＳ３の処理の後に行っており、Ｓ３以降の処理を、図１０に示すＳ１０の処理以降に行うようになっているが、図１０のＳ１以降の処理を図１０のＳ１０の処理以降に行うようにしてもよい。
【００６０】
図１０のように、表示用機器４０では、まずサーバ２０から上述の第１特定情報及び第２特定情報（より具体的には、図９のＳ２で送信された図１１（Ｃ）のようなデータ）を受信し（Ｓ２１）、記憶部４３に蓄積しておく（Ｓ２２）。そして、Ｓ１０のように、認証用機器３０から情報コードＣの読み取りデータ及びＲＦＩＤタグ７０の読み取りデータの送信があった場合には、これらのデータを取得し（Ｓ２３）、記憶部４３に蓄積する（Ｓ２４）。そして、認証用機器３０から取得した情報コードＣの読み取りデータ及びＲＦＩＤタグ７０の読み取りデータと、予め記憶部４３に記憶された第１特定情報及び第２特定情報を照合し（Ｓ２５）、予め定められた正規の照合結果が得られたか否かを判断する（Ｓ２６）。例えば、記憶部４３に記憶される第１特定情報として特定のコードＩＤが登録され、第２特定情報として特定の配達者ＩＤが登録されている場合、認証用機器３０から取得した情報コードＣの読み取りデータにその特定のコードＩＤ（第１特定情報）が含まれ、認証用機器３０から取得したＲＦＩＤタグ７０の読み取りデータにその特定の配達者ＩＤ（第２特定情報）が含まれている場合、Ｓ２６において認証成功（照合ＯＫ）と判定し、Ｓ２６にてＹｅｓに進む。この場合、Ｓ２７では、例えば図１４のように、表示用機器４０の表示モニター４６に、照合結果として、認証成功に対応付けられた情報（例えば認証が成功した旨のメッセージなど）を表示する。なお、この例では、Ｓ２７での照合結果の表示が「所定の報知動作」の一例に相当している。また、Ｓ２７で行う「所定の報知動作」は上述した他の例（所定の音声案内、所定のブザー報知、所定のランプ報知など）であってもよい。また、Ｓ２７での表示と同時に、或いはこの表示の前後に、Ｓ９（図９）で読み取られた情報コードＣに含まれる情報（例えば、物品名（荷物名）、送り主名、送り主住所、受取人名、受取人住所等）を表示すると、受取人が扉Ｄを開く前に受取人の安心感をより高めることができる。
【００６１】
一方、認証用機器３０から取得した情報コードＣの読み取りデータに第１特定情報（上述の特定のコードＩＤ）が含まれていない場合、又は認証用機器３０から取得したＲＦＩＤタグ７０の読み取りデータに第２特定情報（上述の特定の配達者ＩＤ）が含まれていない場合、若しくは、Ｓ５（図９）でのデータ送信の後、一定時間以上経過しても情報コードＣの読取結果やＲＦＩＤタグ７０の読み取り結果が認証用機器３０から送信されなかった場合には、認証失敗と判定し、Ｓ２６にてＮｏに進む。この場合、照合結果として、認証失敗に対応付けられた情報（例えば認証が失敗した旨のメッセージなど）を表示する（Ｓ２８）。
【００６２】
このように、判断部に相当する制御部４２では、記憶部４３（受信情報記憶部）に予め記憶された情報と、第１読取部及び第２読取部による読取結果とに基づき、第１読取部及び第２読取部で読み取りを行う認証場所ＡＲ２に対応する情報コードＣ（第１情報媒体）及びＲＦＩＤタグ７０（第２情報媒体）が読み取られたか否かを判断するように機能する。
【００６３】
また、本構成では、配達者Ｐが所持する携帯型情報端末１００又は配達者Ｐが運転する配達車９０に搭載された装置（カーナビゲーション装置等）のいずれかが位置検出の対象となる装置となっており、ＧＰＳ（Global Positioning System）受信機が搭載されている。この携帯型情報端末１００は、情報コードリーダ及び無線タグリーダとして構成されており、無線タグを読取可能な無線タグリーダ（無線リーダ部１２０及びアンテナ１２５）と、公知の情報コードを読取可能な情報コード読取部１３０とを備えている。また、外部装置と無線通信（公知の無線ＬＡＮ方式やBluetooth(登録商標）方式などの無線通信、インターネット通信など）を行う無線通信部１４０や、バッテリ１１５及び電源回路としての電源部１１６などを備えた電源系、公知の半導体メモリなどからなるメモリ１１１、各種操作ボタンなどからなるキー操作部１１２、液晶表示器などからなる表示部１１３、外部インターフェイス１１４などを備えている。
【００６４】
更に図６の例では、配達者Ｐが所持する携帯型情報端末１００にＧＰＳ受信機１１９が設けられており、このＧＰＳ受信機１１９にてＧＰＳ情報を受信し、ＧＰＳ受信機１１９又は制御部１１０によって携帯型情報端末１００の現在位置情報（例えば緯度及び経度の情報、或いは住所（所在地））を生成する構成となっている。携帯型情報端末１００は、たとえば配達者Ｐが配達拠点、店舗、送り先などで使用する作業用の情報端末であり、配達中のときには、配達者Ｐが携帯するか又は配達車９０の車内に置くようにして運ばれる。従って、この携帯型情報端末１００の位置がＧＰＳ情報によって把握できれば、巡回している配達者Ｐの現在位置又は配達車９０の現在位置がより詳細に且つよりリアルタイムに把握できるようになる。ＧＰＳ受信機１１９は、公知のＧＰＳ受信機として構成されており、図示しないＧＰＳ衛星からの情報を受信し、このＧＰＳ受信機１１９が設けられた携帯型情報端末１００の詳細な緯度及び経度を算出するように構成されている。なお、ＧＰＳ受信機１１９は、ＧＰＳ衛星からの情報に基づいて携帯型情報端末１００の現在位置が把握できる構成であれば、公知のどのような方式のものであってもよい。
【００６５】
そして、制御部１１０及び無線通信部１４０は、ＧＰＳ受信機１１９（又は制御部１１０）が算出した携帯型情報端末１００の現在位置情報（例えば、携帯型情報端末１００の詳細な緯度及び経度の情報）を、インターネット回線などを介してサーバ２０に送信している。サーバ２０は、携帯型情報端末１００から現在位置情報（「検出位置のデータ」に相当する携帯型情報端末１００の詳細な緯度及び経度の情報）を受信し、それを基地局１０又は表示用機器４０に送信するように構成されている。なお、図１１（Ｂ）のような登録データには、配達者ＩＤなどと対応付けて、その配達者ＩＤで特定される配達者が所持する携帯型情報端末１００を識別する識別情報（メールアドレスやＩＰアドレスなど）が対応付けられており、携帯型情報端末１００の制御部１１０及び無線通信部１４０は、当該携帯型情報端末１００の現在位置情報を送信する際に、その現在位置情報と対応付けて当該携帯型情報端末１００の識別情報も送るようになっている。従って、サーバ２０では、どの配達者が所持する携帯型情報端末１００から現在位置情報が送信されてきたか（即ち、どの配達者ＩＤに対応する携帯型情報端末１００から現在位置情報が送信されてきたか）を把握することができ、その現在位置情報を、その配達者ＩＤに対応する配送先住所に存在する認証場所側装置（基地局１０など）に送信することになる。
【００６６】
本構成では、携帯型情報端末１００及びサーバ２０の制御部２２、通信インターフェイス２４が「位置検出部」の一例に相当し、配達対象物品の配達に用いる車の位置、又は前記配達対象物品を配達する配達者が携帯する情報読取端末（携帯型情報端末１００）の位置を検出するように機能する。また、サーバ２０の制御部２２、通信インターフェイス２４は、検出位置データ送信部の一例に相当し、位置検出部によって得られた検出位置のデータを認証場所側装置（具体的には、その検出位置のデータで特定される配達者又は配達車が向かおうとする各住所にある基地局１０又は表示用機器４０）に送信するように機能する。
【００６７】
そして、サーバ２０から直接、又は基地局１０を介してサーバ２０から現在位置情報（当該表示用機器４０が存在する所在エリアＡＲ１に向かおうとする配達者Ｐ又は配達車９０の検出位置のデータ）を受信した表示用機器４０は、表示モニター４５に、その現在位置情報（検出位置のデータ）を表示する。その表示方法は様々であり、例えば、携帯型情報端末１００の現在位置情報（例えば緯度及び経度の情報、或いは住所（所在地））そのものを文字情報として表示してもよく、図１３のように、現在位置情報が示す地図上の位置を地図とともに表示してもよい。
【００６８】
この例では、報知部に相当する制御部４２及び表示モニター４５が、検出位置表示部として機能し、検出位置データ送信部によって送信された検出位置のデータに基づき、当該報知部が配置される所在エリアＡＲ１への配送物８０（配達対象物品）の配達に用いる車の位置、又は配送物８０（配達対象物品）を配達する配達者Ｐが携帯する情報読取端末（携帯型情報端末１００）の位置を表示するように機能する。
【００６９】
（本構成の主な効果）
以上のように、本構成では、認証場所ＡＲ２の所定の第１読取範囲に物品が存在する場合に、第１情報媒体（情報コードＣ）に記録された第１識別情報を読み取る第１読取部と、認証場所ＡＲ２の所定の第２読取範囲に第２情報媒体（ＲＦＩＤタグ７０）を所持する人が存在する場合に、第２情報媒体に記録された第２識別情報を読み取る第２読取部とが設けられている。このように構成されているため、認証場所ＡＲ２において、物品に付された情報媒体（第１情報媒体）と、人によって所持された情報媒体（第２情報媒体）をいずれも読み取ることができ、物品及び人にそれぞれ対応付けて記録された各情報をいずれも把握し、利用できるようになる。
更に、登録部（記憶部２６）に登録された第２特定情報と、第２読取部による読取結果とに基づき、第２情報媒体（ＲＦＩＤタグ７０）が読み取られたか否かを判断し、第２情報媒体が読み取られたと判断されたことを条件として所定の報知動作を行う構成となっている。つまり、登録部から把握される正規の第２情報媒体が読み取られた場合に所定の報知動作が行われるため、このような報知動作がなされた場合には、正規の訪問者が認証場所にいることを認識することができる。特に、人による携帯が予定された第２情報媒体を読み取ることで正規の訪問者であるか否かを判断することができるため、正規の訪問者が正規の第２情報媒体を携帯するという運用が確実になされていれば、「なりすまし」をより確実に防ぐことができる。
【００７０】
また、登録部（記憶部２６）には、第１情報媒体（情報コードＣ）に記録される識別情報を特定する第１特定情報と上記第２特定情報とが登録されており、判断部に相当する制御部４２は、登録部に登録された第１特定情報及び第２特定情報と、第１読取部及び第２読取部による読取結果とに基づき、第１情報媒体及び第２情報媒体がいずれも読み取られたか否かを判断し、報知部に相当する制御部４２及び表示モニター４６は、判断部によって第１情報媒体及び第２情報媒体がいずれも読み取られたと判断されたことを条件として所定の報知動作を行う構成となっている。
この構成によれば、物品に付された情報と、人が携帯する媒体に付された情報がいずれも正しい場合にのみ所定の報知動作が行われるようになる。従って、このような報知動作が行われた場合には、正規の訪問者が正規の物品を所持して認証場所にいることを認識することができ、「なりすまし」の防止効果が一層高まる。
【００７１】
また、第１情報媒体は、第１識別情報が記録される情報コードＣであり、第２情報媒体は、第２識別情報が記録される無線通信媒体（ＲＦＩＤタグ７０）である。そして、第１読取部は、情報コードＣ及び無線通信媒体（ＲＦＩＤタグ７０）が持ち込まれる認証場所ＡＲ２に設定された所定の撮像範囲内を第１読取範囲として撮像する撮像部５０と、撮像範囲に情報コードＣが配置された場合に、撮像部５０によって得られた情報コードＣの撮像画像から少なくとも第１識別情報を読み取る解読部とを備えている。
更に、第２読取部は、認証場所の所定の通信範囲に無線通信媒体（ＲＦＩＤタグ７０）が配置された場合に、当該通信範囲を第２読取範囲として無線通信媒体に記録された第２識別情報を読み取る無線読取部を有している。
この構成よれば、訪問者が持ち運ぶ物品には識別のために情報コードを付しておき、人が携帯する媒体には識別のために無線通信媒体を設けるように運用することができ、特に人が所持する媒体と物品を別種の情報媒体で管理することが望まれる場合に有利になる。
【００７２】
また、情報コードＣは、少なくとも第１識別情報が暗号化キーに基づいて暗号化された暗号データが記録された非公開領域を有する情報コードとして構成されている。そして、第１読取部は、外部から暗号データを解読するための解読キーを取得して記憶する解読キー記憶部（記憶部３６）を備えており、解読部に相当する制御部４２は、撮像部５０の撮像範囲に情報コードＣが配置された場合に、撮像部５０によって得られた情報コードＣの撮像画像を解析し、解読キー記憶部に記憶された解読キーに基づいて非公開領域に記録された暗号データを解読することで第１識別情報を読み取る構成となっている。
そして、登録部（記憶部２６）には、情報コードＣに記録される第１識別情報を特定する情報として第１特定情報が登録され、無線通信媒体（ＲＦＩＤタグ７０）に記録される第２識別情報を特定する情報として第２特定情報が登録されており、判断部に相当する制御部４２は、登録部に登録された第１特定情報と、解読部による読取結果とに基づき、情報コードＣの非公開領域が解読されたか否かを判断し、登録部に登録された第２特定情報と、無線読取部による読取結果とに基づき、無線通信媒体（ＲＦＩＤタグ７０）が読み取られたか否かを判断している。そして、報知部は、判断部によって情報コードＣの非公開領域が解読されたと判断され、且つ無線通信媒体（ＲＦＩＤタグ７０）が読み取られたと判断された場合に、所定の報知動作を行う構成となっている。
この構成によれば、物品に付された情報と、人が携帯する媒体に付された情報がいずれも正しい場合にのみ所定の報知動作が行われ、更に、情報コードＣの非公開領域が解読された場合にのみ所定の報知動作が行われるようになるため、「なりすまし」の防止効果がより一層高まる。特に、暗号データを有さない限り情報コードＣの第１識別情報を解読できないため、第１識別情報の漏洩を防ぐことができ、第１識別情報を記録した偽の情報コードを生成することも困難であるため、不正防止効果がより一層高まる。特に、第１識別情報に住所や氏名などの個人情報が含まれる場合には、非常に有用である。
【００７３】
また、第１情報媒体（情報コードＣ）は、配達対象物品（配送物８０）に付されるものであり、且つ当該第１情報媒体が付される配達対象物品を識別する物品識別情報が第１識別情報として記録されており、第２情報媒体（ＲＦＩＤタグ７０）は、配達者Ｐに割り当てられた配達者識別情報が第２識別情報として記録されている。
更に、登録部（記憶部２６）には、各場所へ配達されるべき各正規物品を特定する正規物品特定情報が第１特定情報として登録され、各場所への配達を行う各正規配達者を特定する正規配達者特定情報が第２特定情報として登録されている。
そして、判断部に相当する制御部４２は、登録部に登録された第１特定情報及び第２特定情報と、第１読取部及び第２読取部による読取結果とに基づき、第１読取部及び第２読取部によって読み取りを行う認証場所ＡＲ２へ配達されるべき正規物品に対応する第１情報媒体、及び当該認証場所ＡＲ２への配達を行う正規配達者に対応する第２情報媒体が読み取られたか否かを判断し、報知部に相当する制御部４２及び表示モニター４６は、当該認証場所ＡＲ２へ配達されるべき正規物品に対応する第１情報媒体、及び当該認証場所への配達を行う正規配達者に対応する第２情報媒体が読み取られたと判断部によって判断されたことを条件として所定の報知動作を行う構成となっている。
このように、配達場所毎の正規物品と配達場所毎の正規配達者とを予め登録しておき、第１読取部及び第２読取部によって読み取りを行った認証場所ＡＲ２へ配達されるべき正規物品に対応する第１識別媒体が読み取られたか否か、及び配達を行う正規配達者に対応する第２情報媒体が読み取られたか否かを判断すれば、「なりすまし」をより確実に防ぐことができる。例えば、その認証場所ＡＲ２への配達が予定されていない他の物品に付された媒体を読み取らせても認証が成功せず、その認証場所ＡＲ２への配達が予定されていない他の登録者の媒体を読み取らせても認証が成功しないため、認証場所ＡＲ２（配達場所）に対応付けられた正規物品及び正規配達者がいずれも認識できない状況下では「所定の報知動作」が行われることがなく、不正防止効果が更に高まる。
【００７４】
また、１又は複数の機器からなり、所定の出入口を介して認証場所に通じる所在エリアに機器の一部又は全部が設けられた認証場所側装置と、所在エリアから離れた位置において認証場所側装置と通信可能に配置された１又は複数の機器からなる管理装置（サーバ２０）とが設けられている。
そして、管理装置は、登録部と、登録部に登録された情報に基づき、認証場所に対応する正規の第１情報媒体を特定する情報、及び認証場所に対応する正規の第２情報媒体を特定する情報を、配達対象物品が当該認証場所に配達される前に、当該認証場所に通じる所在エリアに設けられた認証場所側装置に予め送信する特定情報送信部と、を有している。
一方、認証場所側装置は、配達対象物品が認証場所に配達される前に、特定情報送信部からの情報を受信して予め記憶しておく受信情報記憶部と、判断部と、報知部とを備えている。
更に、判断部は、受信情報記憶部に予め記憶された情報と、第１読取部及び第２読取部による読取結果とに基づき、第１読取部及び第２読取部で読み取りを行う認証場所に対応する第１情報媒体及び第２情報媒体が読み取られたか否かを判断する構成となっている。
このように、認証場所に対応する正規の第１情報媒体を特定する情報と正規の第２情報媒体を特定する情報とを、その認証場所に隣接する現場（所在エリア）に設けられた認証場所側装置に対して管理装置から予め送信しておけば、認証時に認証場所側装置と管理装置との間でデータを大量に送受信する必要が無く、認証処理をより迅速に行うことができる。また、所在エリアにいる者は、認証場所側装置に事前に送られた情報を把握することでより効率的に準備することができ、利便性が高まる。
【００７５】
また、管理装置（サーバ２０）は、配達対象物品の配達に用いる車の位置、又は配達対象物品を配達する配達者が携帯する情報読取端末の位置を検出する位置検出部と、位置検出部によって得られた検出位置のデータを認証場所側装置に送信する検出位置データ送信部と、を有している。
そして、認証場所側装置に設けられた報知部は、検出位置データ送信部によって送信された検出位置のデータに基づき、当該報知部が配置される所在エリアＡＲ１への配達対象物品の配達に用いる車の位置、又は配達対象物品を配達する配達者Ｐが携帯する情報読取端末の位置を表示する検出位置表示部を有している。
この構成によれば、所在エリアＡＲ１において、配送物８０（配達対象物品）を配達する配達者Ｐの認証だけでなく、その所在エリアＡＲ１への配達が予定された配送物８０（配達対象物品）の位置把握（その所在エリアＡＲ１に到達するまでのより詳細な位置把握）も可能になる。これにより、その所在エリアＡＲ１に配送物８０（配達対象物品）が到達するタイミングをより正確に予測することが可能となり、例えば、訪問者があったときには、正規の配達対象物品が届いたことによる訪問であるか否かを、上述の認証と併せて、より正確に判断し易くなる。
【００７６】
また、報知部に相当する制御部４２及び表示モニター４６は、所定の出入口を介して認証場所に通じる所在エリアＡＲ１に機器の一部又は全部が設けられており、第１読取部及び第２読取部は、少なくとも所在エリアＡＲ１の外側を第１読取範囲及び第２読取範囲とする構成で、出入口を開閉する扉Ｄに装着される構成となっている。
このように、第１読取部及び第２読取部を扉Ｄに装着する構成とすれば、第１読取範囲及び第２読取範囲を扉の外側（認証場所ＡＲ２）に設定し、その情報を扉Ｄの内側（所在エリア）で利用し得る構成を簡易に実現することができる。例えば、壁に大きな孔をあけて大掛かりな配線を埋設するような工事が不要となり、作業者にとっても、利用者にとっても非常に有利になる。
【００７７】
［他の実施形態］
本発明は上記記述及び図面によって説明した実施形態に限定されるものではなく、例えば次のような実施形態も本発明の技術的範囲に含まれる。
【００７８】
上述した認証用機器３０の構成、設置例はあくまで一例であり、上述の機能を有していれば外観、設置場所、その他の機能などは、様々に変更したり、付加したりすることができる。例えば、認証用機器３０にマイクやスピーカなどを付加し、住宅や玄関付近の外壁などに設けてインターフォンとして機能させてもよい。
【００７９】
認証用機器３０と表示用機器４０との通信は、専用無線通信であってもよくインターネットなどの公衆通信回線を利用してもよい。また、基地局１０を中継してもよく、中継しなくてもよい。
【００８０】
配達者Ｐが撮像部５０の撮像範囲に入ったときに配達者Ｐの顔だけでなく身分証明証Ｅをも撮像し、その撮像画像を表示用機器４０に表示してもよい。
【００８１】
上記実施形態では、配送物８０（配達対象物品）に付された情報コードＣの第１識別情報が正規の情報であることをＳ２６での認証成功の条件としたが、これを条件としなくてもよい。例えば、無線リーダ部６０によって読み取られたＲＦＩＤタグ７０の第２識別情報（配達員ＩＤ）が正規の情報であれば認証成功と判断してもよい。
【００８２】
上記実施形態では、携帯型情報端末１００からサーバ２０に現在位置情報を送信する例を示したが、この例に限られず、例えば配達車９０に搭載されたカーナビゲーション装置に、ＧＰＳ受信機１１９と同様のＧＰＳ受信機を搭載しておき、このカーナビゲーション装置が、そのＧＰＳ受信機にてＧＰＳ衛星からのＧＰＳ情報を受信し、このＧＰＳ情報に基づいて配達車９０の現在位置情報（例えば緯度及び経度の情報、或いは住所（所在地）の情報など）を生成し、その現在位置情報をサーバ２０に送信するように構成されていてもよい。この例では、サーバ２０は、カーナビゲーション装置から現在位置情報（検出位置のデータ）を受信し、その情報を、その配達車９０が向かおうとする所在エリアＡＲ１の基地局１０又は表示用機器４０に送信することになる。
【符号の説明】
【００８３】
１…認証システム
１０…基地局（認証場所側装置）
１４…通信インターフェイス
２０…サーバー（管理装置）
２２…制御部（特定情報送信部、位置検出部、検出位置データ送信部）
２４…通信インターフェイス（特定情報送信部、位置検出部、検出位置データ送信部）
２６…記憶部（登録部）
３０…認証用機器（認証場所側装置）
３２…制御部（第１読取部、第２読取部、解読部、無線読取部）
３６…記憶部（解読キー記憶部）
４０…表示用機器（認証場所側装置）
４２…制御部（報知部、受信情報記憶部、判断部）
４３…記憶部（受信情報記憶部）
４６…表示モニター（報知部）
５０…撮像部（第１読取部）
６０…無線リーダ部（第２読取部、無線読取部）
６５…アンテナ（第２読取部、無線読取部）
７２…ＲＦタグ（無線通信媒体、第２情報媒体）
８０…配送物（物品、配達対象物品）
１１９…ＧＰＳ受信機（位置検出部）
Ｃ…情報コード（第１情報媒体）
Ｄ…扉
Ｐ…配達者
ＡＲ１…所在エリア
ＡＲ２…認証場所
【図１】
2015075936.tif 000003
【図２】
2015075936.tif 000004
【図３】
2015075936.tif 000005
【図４】
2015075936.tif 000006
【図５】
2015075936.tif 000007
【図６】
2015075936.tif 000008
【図７】
2015075936.tif 000009
【図８】
2015075936.tif 000010
【図９】
2015075936.tif 000011
【図１０】
2015075936.tif 000012
【図１１】
2015075936.tif 000013
【図１２】
2015075936.tif 000014
【図１３】
2015075936.tif 000015
【図１４】
2015075936.tif 000016